(57)【要約】【課題】着脱、交換が容易で、看者に落ち着きを与える化粧シートを提供する。【解決手段】所定の上下幅寸法を有する長尺のシート本体１と、シート本体１の裏面に塗工された感圧接着剤層２とを含む。シート本体１が、茶色系、茶褐色系、褐色系、黒色系のいずれかに着色されており、感圧接着剤層２は、シート本体１と同系色に着色されている。【選択図】図１
0003108517.tif 000002
【実用新案登録請求の範囲】
【請求項１】
所定の上下幅寸法を有する長尺のシート本体（１）と、シート本体（１）の裏面に塗工された感圧接着剤層（２）とを含み、
シート本体（１）が、濃い色に着色されており、
感圧接着剤層（２）が、シート本体（１）とほぼ同系色に着色されていることを特徴とする化粧シート。
【請求項２】
シート本体（１）が、茶色系、茶褐色系、褐色系、黒色系、青色系のいずれかに着色されている請求項１記載の化粧シート。
【請求項３】
シート本体（１）が、室内壁（４）の幅木（５）の外表面に感圧接着剤層（２）を介して剥離可能に接着される請求項１または２記載の化粧シート。
【請求項４】
シート本体（１）が、厚み方向に弾性を有する合成樹脂繊維の不織布からなり、
感圧接着剤層（２）に、剥離フィルム（３）が剥離可能に接着されている請求項３記載の化粧シート。
【請求項５】
吸液性を有するシート本体（１）が、洋式便器における便器本体（６）の外周面の下端であって床に接する部位に、感圧接着剤層（２）を介して剥離可能に接着される請求項１記載の化粧シート。
【請求項６】
シート本体（１）および感圧接着剤層（２）が、洗濯をしても繰り返し使用できる請求項３または５記載の化粧シート。
【請求項７】
シート本体（１）の上下幅寸法が、５０〜８０mmに設定されている請求項６記載の化粧シート。
【考案の詳細な説明】
【技術分野】
【０００１】
本考案は、建物の室内壁の最下部であって床に接する幅木などに剥離可能に接着される化粧シートに関する。
【背景技術】
【０００２】
この種の幅木は、もともと床に接しているため汚れやすく、出隅部などでは掃除機や履物などが当たって傷つきやすくもある。このように幅木が汚損すると、折角の化粧機能を失う。
【０００３】
かかる事情から、幅木の外表面を保護被膜で被覆することが特許文献１に公知である。また、既存の幅木の外表面にステンレス製の化粧板を一体に接着して幅木を補修することが、特許文献２に開示されている。
【特許文献１】特開平９−３１７１５０号（段落番号００１２）
【特許文献２】特開平１０−９５５８２号（段落番号００１０、図２）
【０００４】
しかし、特許文献１の保護被膜は、幅木の外表面にこれを着色するに代えて不離一体に接着する形式であるから、化粧シートこれ自体が汚損したときの解決策にはならない。特許文献２の化粧板も、幅木の外表面に一体に接着固定する形式であるから、一般家庭には大掛かり過ぎて向かない。
【考案の開示】
【考案が解決しようとする課題】
【０００５】
もともと、先の幅木は、室内壁などの下端部を装飾するために存在する。そこで本考案の目的は、本来の幅木が存在しない場合にも幅木機能を付与する化粧シートを提供することにある。本考案の目的は、幅木が汚損したとき、これを目隠しできる幅木用の化粧シートを提供するにある。本考案の目的は、需要者のニーズに応じて着脱でき、好みの色に交換できる化粧シートを提供するにある。
【０００６】
本考案の別の目的は、建物の段付き垂直壁面や、壁の出隅部など爪先や物を打ち当てやすい部位に接着することで、爪先や物を保護したり、該当壁面の傷つきを防止するに好適な化粧シートを提供することにある。
【０００７】
本考案の別の目的は、洋式便器の便器本体の外周面に流れ落ちた尿を吸収し、尿が床に流れ拡がるのを防止することのできる便器用の化粧シートを得るにある。
【課題を解決するための手段】
【０００８】
請求項１記載の本考案に係る化粧シートは、図２に示すごとく、所定の上下幅寸法を有する長尺のシート本体１と、シート本体１の裏面に塗工された感圧接着剤層２とを含み、シート本体１が、濃い色に着色されており、感圧接着剤層２が、シート本体１とほぼ同系色に着色されていることを特徴とする。ここでの感圧接着剤層とは、粘着剤層と同義語であり、剥離性を有し、繰り返し接着性を有することを意味する。
【０００９】
請求項２記載の本考案は、シート本体１が茶色系、茶褐色系、褐色系、黒色系、青色系のいずれかの濃色に着色されている。
【００１０】
請求項３記載の本考案は、請求項１または２記載の化粧シートにおいて、シート本体１が、図１に示すごとく、室内壁４の幅木５の外表面に、感圧接着剤層２を介して剥離可能に接着される幅木用になっている。
【００１１】
請求項４記載の本考案は、請求項３記載の化粧シートにおいて、シート本体１が、図３に示すごとく、厚み方向に弾性を有する合成樹脂繊維の不織布からなり、感圧接着剤層２に剥離フィルム３が剥離可能に貼られている。
【００１２】
請求項５載の本考案は、請求項１記載の化粧シートにおいて、吸液性を有するシート本体１が、図３に示すごとく、洋式便器における便器本体の外周面の下端であって床に接する部位に接着される便器用になっている。
【００１３】
請求項６の本考案では、請求項３または５記載のシート本体１および感圧接着剤層２が、洗濯しても繰り返し使用できる。
【００１４】
請求項７記載の本考案は、請求項６記載の化粧シートにおいて、シート本体１の上下幅寸法が、５０〜８０mmに設定されている。すなわち、標準の幅木の上下幅寸法は慣用的に定まっているので、実施に際しては幅木に即して上下幅寸法を決め、左右横長の長尺状態で需要者に供することになる。
【考案の効果】
【００１５】
請求項１記載の本考案に係る化粧シートによれば、ユーザーは貼り付け対象の長さに合わせて所定寸法に切断したのち、例えば、室内壁の最下端部に幅木代わりに又は既存の幅木に感圧接着剤層２を介してピタッと接着できる。感圧接着剤層２は再剥離性を有するので、これ自体が傷ついたり汚れたりした場合には他の化粧シートに簡単に取り換えることができる。
【００１６】
シート本体１が茶色系、茶褐色系、褐色系、黒色系、青色系のいずれかに着色されていると、見る者に落ち着きを与え、とくに室内壁の最下部に幅木代わりに接着使用したとき、幅木機能を有効に発揮する。その際に、感圧接着剤層２もシート本体１とほぼ同系色に着色されているので、感圧接着剤層２が白色の場合などに比べて目立つことがないところに最大の利点を有する。
【００１７】
請求項３記載の本考案に係る化粧シートによれば、幅木が汚損したとき、これの外表面に接着することにより、幅木を簡単に補修できる。
【００１８】
請求項４記載の本考案によれば、長尺の化粧シートには剥離フィルム３が介在しているので、ロール巻き状態で包装して流通の場に供することができ、ユーザーは剥離フィルム３を剥離しながら幅木３に沿ってこれの外周面に接着して行くことができ、使い勝手が良い。また、シート本体１が厚み方向に弾性を有する合成樹脂繊維の不織布で形成されているので、幅木５に爪先を打ち当てたときにも、爪先および幅木５をクッション作用でよく保護できる。
【００１９】
請求項５記載の本考案によれば、図３の洋式便器において、便蓋７および便座８を開けて男児などが小便をする際に、尿が便器本体６の上面に降り掛かって外周面に垂れ流れても、シート本体１が吸液性を有するので、シート本体１に垂れ落ちた尿を吸収でき、衛生面において効果的である。むろん、便器本体６の裾まわりの装飾性にも寄与する。
【００２０】
請求項６記載の本考案によれば、シート本体１および感圧接着剤層２が洗濯特性を有するので、汚れても繰り返し使用できて経済的である。
【００２１】
請求項７記載の本考案によれば、シート本体１の上下幅寸法を、５０〜８０mmの範囲で、規格化されている幅木の上下幅寸法に対応させることにより、違和感なく使用できる。
【実施例】
【００２２】
（第１実施例）  図１および図２は、本考案の化粧シートを幅木用に供する場合の第１実施例を示す。図２において本案化粧シートは、所定の上下幅寸法を有する長尺のシート本体１と、シート本体１の裏面に全面的に塗工された感圧接着剤層２と、感圧接着剤層２に剥離可能に接着される剥離フィルム３とからなる。
【００２３】
シート本体１は、合成樹脂繊維の不織布で成形されている。ここでのシート本体１は茶褐色に色付けされており、シート本体１の上下幅寸法は既存の幅木に合わせて設定した。
【００２４】
感圧接着剤層２は、着色性に優れるアクリル系ポリマーを使用して、茶褐色に着色した。
【００２５】
本案化粧シートは、剥離フィルム３が介在しているので、例えばロール巻きした状態でユーザーに提供される。ユーザーは剥離フィルム３を剥離しながら、図１に示すごとく、室内壁４の下端に位置する幅木５の外表面に、シート本体１を感圧接着剤層２を介して幅木５に沿って押さえ付け接着して行くことができる。その際、または事前に、シート本体１は所望の長さにハサミで切断することになる。
【００２６】
この使用状態において注目すべきは、シート本体１に合わせて感圧接着剤層２も同色の茶褐色になっている点にある。これによれば、幅木５に接着使用した状態において、上方から化粧シートを見たとき、感圧接着剤層２の上端がシート本体１の色と溶け込んで目立たず、違和感を生じない。
【００２７】
幅木５に接着した化粧シートは、これ自体が汚損したり、他の好みの色に変えたいとき、該当の幅木５から簡単に剥ぐことができる。感圧接着剤層２が繰り返し洗濯しても（概ね４、５回程度）粘着性能を有するものにしておけば、シート本体１の汚れ対策にも万全を期すことができる。
【００２８】
（第２実施例）  図３は、本案化粧シートを便器用に供する場合の第２実施例を示しており、化粧シートこれ自体の構造は、シート本体１が吸液性を有する合成樹脂繊維の不織布に特化されている点のみが第１実施例と異なる。
【００２９】
第２実施例の化粧シートは、洋式便器の便器本体６の前方および左右側方の外周面の最下部であって床に接する部位に感圧接着剤層２を介してシート本体１が接着される。これによれば、例えば男児が便蓋７および便座８を上開きして立ち小便をする際に、便器本体６の外周面にその尿が垂れ流れても、シート本体１で吸収するので床を汚すことがない。この場合の化粧シートも、時期をみて便器本体６からいったん剥がし、洗濯したのち再び装着使用することになる。
【産業上の利用可能性】
【００３０】
本考案の化粧シートは、机、タンスを含む家具などであって、壁面の床に接する最下端部に接着して使用できる。とくに板壁において、幅木が存在しないとき幅木代わりに接着使用すると有意義である。その他、段差のある室内の壁面に接着使用する場合、シート本体１および感圧接着剤層２が厚み方向に弾性を有すると、爪先を保護するに有利である。また、室内壁の出隅部など物が打ち当たりやすい部位の壁面に、本案化粧シートを縦方向に走るよう接着使用することもできる。
【００３１】
本考案の化粧シートは、茶色系、褐色系、黒色系、青色系などの濃い色であれば、いずれを選んでもよい。感圧接着剤層２をシート本体１と同系色にするのは、シート本体１に対して感圧接着剤層２を目立つことなく溶け込ませる趣旨であり、その限りにおいて感圧接着剤層２はこれが灰色の場合まで本考案に含まれる。
【図面の簡単な説明】
【００３２】
【図１】本考案の化粧シートを幅木用に使用した状態を示す概略斜視図
【図２】本考案の化粧シートの断面図
【図３】化粧シートを便器用に使用した状態を示す斜視図
【符号の説明】
【００３３】
１  シート本体
２  感圧粘着剤層
３  剥離フィルム
４  室内壁
５  幅木
６  便器本体
【図１】
0003108517.tif 000003
【図２】
0003108517.tif 000004
【図３】
0003108517.tif 000005